(57)【要約】【課題】単一のモータの駆動力によって合理的かつスムースに開閉動作するリッド機構の提供。【解決手段】リッド主体２が閉じ位置にあるときにリッド主体２の一部に掛合するロック体３と、リッド主体２及びロック体３の動作手段４とを備えている。動作手段４は第一回転体４０と第二回転体４１との連動手段４２と、第一回転体４０とロック体３との第一連係手段４３と、第二回転体４１とリッド主体２との第二連係手段４４とを備えている。リッド主体２が閉じ位置にあるときにモータ８により第一回転体４０が所定角度正転されると第一連係手段４３によってロック体３が非ロック位置に回動され、第一回転体４０がこの所定角度を越えて正転されると第二連係手段４４によりリッド主体２が開き位置に向けた回動を開始するようになっている。【選択図】図５
2008030585.tif 000002
【特許請求の範囲】
【請求項１】
本体に対しこの本体の開口を塞いだ閉じ位置と開き位置との間に亘る回動可能に組み付けられるリッド主体と、
このリッド主体が閉じ位置にあるときにこのリッド主体の一部に掛合するロック位置と非ロック位置との間に亘る回動可能に本体に組み付けられるロック体と、
リッド主体及びロック体の動作手段とを備えており、
この動作手段は、
同一軸を中心に回転可能に本体側に支持された第一回転体及びこの第一回転体の側方に位置される第二回転体と、
第一回転体と第二回転体との連動手段と、
第一回転体とロック体との第一連係手段と、
第二回転体とリッド主体との第二連係手段とを備えており、
リッド主体が閉じ位置にあるときにモータにより第一回転体が所定角度正転されると第一連係手段によってロック体が非ロック位置に回動されると共に、
第一回転体がこの所定角度を越えて正転されると第二連係手段によりリッド主体が開き位置に向けた回動を開始するようになっており、
しかも、連動手段による第二回転体の連れ回りが第一回転体の正転が前記所定角度に達するまでは抑止されるようになっていることを特徴とする電動リッド機構。
【請求項２】
第一回転体と第二回転体との連動手段は、
本体側に備えられた案内部、第一回転体に備えられた長穴状をなす通し部、第二回転体に備えられた長穴状をなす通し部、及びこれらに通された軸状体を備えており、
案内部は、第一回転体の回転中心を中心とした仮想の円の円弧に沿って続く弧状部分と、この弧状部分の一端側に連続して前記回転中心から離れる側に向かう抑止部分とを備えており、
リッド主体が閉じ位置にある状態から第一回転体の正転が前記所定角度に達するまでは、
軸状体は前記案内部の抑止部分にあり、
第一回転体の通し部はその正転後方側に向かうに連れてその回転中心に近づく向きに傾斜してこの抑止部分に交叉するようになっており、
かつ、第二回転体の通し部は前記抑止部分に沿うようになっていることを特徴とする請求項１記載の電動リッド機構。
【請求項３】
第一回転体とロック体との第一連係手段は、
第一回転体とロック体との間において本体側に回動可能に組み付けられると共に、
ロック体に対してはこのロック体の回動の中心を挟んだ掛合端と反対の側に常時接し、
かつ、リッド主体が閉じ位置にある状態から第一回転体の回転が前記所定角度に達するまでにこの第一回転体の外縁部に自由端を押圧されて回動される旋回体を備えてなることを特徴とする請求項１記載の電動リッド機構。
【請求項４】
第二回転体とリッド主体との第二連係手段は、
第二回転体の連れ回りにより回動されるメインギア体と、このメインギア体に噛み合うリッド主体に形成されたメインラックとを備えてなることを特徴とする請求項１記載の電動リッド機構。
【請求項５】
メインギア体は、第二回転体側に接続される第一ギア要素と、メインラックに噛み合う第二ギア要素とを、これらの軸線方向において両者を所定の力で押し付けこの所定の力を越える力が第二ギア要素側に作用されない限り両者が連れ回りするように組み付け合わせてなることを特徴とする請求項４記載の電動リッド機構。
【請求項６】
リッド主体は、インナーケースを出没可能に内蔵しており、インナーケースの側部にはストッパー突部が備えられ、リッド主体の側部にはこのストッパー突部を外方に突き出させる前記出没方向に沿って続く通し部が形成されており、
動作手段はさらに、
リッド主体が開き位置に至ったときにストッパー突部の突き出し箇所を捕捉する捕捉部を備えたスライダと、
このスライダと第一回転体との第三連係手段とを備えており、
リッド主体が開き位置に至った後の第一回転体の正転により第三連係手段を介してスライダが押し上げられインナーケースが突出されるようになっており、
しかも、リッド主体が開き位置に至った後は第二連係手段によるリッド主体のそれ以上の回動が抑止されるようになっていることを特徴とする請求項１記載の電動リッド機構。
【請求項７】
スライダと第一回転体との第三連係手段は、
このスライダと第一回転体との間にあって本体側に回動可能に組み付けられると共に、
この回動方向においてスライダに形成されたサブラック側に直接又は間接的に駆動力を伝達するギア部と、摺動子とを位置を異にして備えた伝達体と、
第一回転体にこの第一回転体の回転中心を中心とした仮想の円弧に沿った円弧状部を持つように形成された前記摺動子の案内部とを備えてなり、
リッド主体が開き位置に至ったときにこの案内部の一端側に摺動子が接するようになっていることを特徴とする請求項６記載の電動リッド機構。
【請求項８】
リッド主体が開き位置にあってインナーケースを突出させない動作後停止態様、およびリッド主体が半開き位置にあってインナーケースを突出させない動作後停止態様の双方又はいずれか一方を作出可能に動作手段を制御するようにしていることを特徴とする請求項６又は請求項７記載の電動リッド機構。
【請求項９】
左右一対の動作手段の間にリッド主体が納められ各動作手段と連係されていると共に、この一対の動作手段間に設置されたモータによって駆動される主軸がこの一対の動作手段間に亘って備えられていることを特徴とする請求項１〜請求項８のいずれか１項に記載の電動リッド機構。
【発明の詳細な説明】
【技術分野】
【０００１】
この発明は、モータによって開閉動作をする電動リッド機構に関する。
【背景技術】
【０００２】
車体側に固定される基枠と、移動壁と、伸縮レールと、ボックス本体とからなる電動グローブボックスとして特許文献１に示されるものがある。このグローブボックスにあっては、移動壁はモータの駆動力で水平方向に移動されるようになっており、基枠に対してこの移動壁を伸縮レールでガイドするようになっている。ボックス本体は移動壁に回動可能に備えられており、ボックス本体の水平状態はロック手段により係脱可能に維持されるようになっている。
【０００３】
しかるに、かかるグローブボックスにあっては、基枠に対しボックス本体を係脱可能に掛合させるロック手段は設けられていない。
【特許文献１】特許第３０６６０５９号公報
【発明の開示】
【発明が解決しようとする課題】
【０００４】
この発明が解決しようとする主たる問題点は、この種の電動リッド機構において、単一のモータの駆動力によって合理的かつスムースに、閉じ位置にあるリッド主体と本体とのロックを解除すると共にこの後リッド主体を開き位置まで往動回動させ、また、開き位置にあるリッド主体を閉じ位置まで復動回動させると共にこの後リッド主体と本体とをロックさせるようにする点にある。
【課題を解決するための手段】
【０００５】
前記課題を達成するために、この発明にあっては、電動リッド機構を、以下の（１）〜（７）の構成を備えたものとした。
（１）本体に対しこの本体の開口を塞いだ閉じ位置と開き位置との間に亘る回動可能に組み付けられるリッド主体と、
（２）このリッド主体が閉じ位置にあるときにこのリッド主体の一部に掛合するロック位置と非ロック位置との間に亘る回動可能に本体に組み付けられるロック体と、
（３）リッド主体及びロック体の動作手段とを備えており、
（４）この動作手段は、
同一軸を中心に回転可能に本体側に支持された第一回転体及びこの第一回転体の側方に位置される第二回転体と、
第一回転体と第二回転体との連動手段と、
第一回転体とロック体との第一連係手段と、
第二回転体とリッド主体との第二連係手段とを備えており、
（５）リッド主体が閉じ位置にあるときにモータにより第一回転体が所定角度正転されると第一連係手段によってロック体が非ロック位置に回動されると共に、
（６）第一回転体がこの所定角度を越えて正転されると第二連係手段によりリッド主体が開き位置に向けた回動を開始するようになっており、
（７）しかも、連動手段による第二回転体の連れ回りが第一回転体の正転が前記所定角度に達するまでは抑止されるようになっている。
【０００６】
かかる構成によれば、リッド主体が閉じ位置にある状態をロック位置にあるロック体によって安定的に維持させることができる。この状態からモータを駆動させると第一回転体が正転を始め第一連係手段によってロック体は非ロック位置に回動されるが、ロック体が非ロック位置に至るまでは第一回転体が正転されても第二回転体は正転されず第二連係手段によるリッド主体の開き位置に向けた回動を開始させないようにすることができる。ロック体が非ロック位置まで回動されると第二回転体は第一回転体に連れ回りして正転され、第二連係手段によってリッド主体は開き位置まで往動回動される。これにより本体の開口が自動的に開かれる。
【０００７】
前記第一回転体と第二回転体との連動手段を、
本体側に備えられた案内部、第一回転体に備えられた長穴状をなす通し部、第二回転体に備えられた長穴状をなす通し部、及びこれらに通された軸状体を備えており、
案内部は、第一回転体の回転中心を中心とした仮想の円の円弧に沿って続く弧状部分と、この弧状部分の一端側に連続して前記回転中心から離れる側に向かう抑止部分とを備えており、
リッド主体が閉じ位置にある状態から第一回転体の正転が前記所定角度に達するまでは、
軸状体は前記案内部の抑止部分にあり、
第一回転体の通し部はその正転後方側に向かうに連れてその回転中心に近づく向きに傾斜してこの抑止部分に交叉するようになっており、
かつ、第二回転体の通し部を前記抑止部分に沿うように形成させておくこともある。
【０００８】
このようにした場合、ロック体がロック位置にあり、かつ、リッド主体が閉じ位置にある状態から、第一回転体の正転が開始されると、軸状体は第一回転体の回転方向に移動しようとするが、前記案内部の抑止部分によってこの回転方向に向けた移動は抑止され、軸状体は第一回転体の通し部の傾斜によって第一回転体の回転中心側に移動される。このように移動された軸状体が案内部の抑止部分から抜け出し弧状部分の一端に入り込むと第一回転体と軸状体は一緒に移動できるようになり、軸状体は弧状部分の範囲内で第一回転体の回転中心を中心として回動され、これにより第二回転体も連れ回りされる。この結果、第一連係手段によってロック体が非ロック位置に回動されるまでの間はリッド主体が第二回転体と第二連係手段とによって開き位置に向けて回動を開始しないようにすることができる。
【０００９】
第一回転体とロック体との第一連係手段を、
第一回転体とロック体との間において本体側に回動可能に組み付けられると共に、
ロック体に対してはこのロック体の回動の中心を挟んだ掛合端と反対の側に常時接し、
かつ、リッド主体が閉じ位置にある状態から第一回転体の回転が前記所定角度に達するまでにこの第一回転体の外縁部に自由端を押圧されて回動される旋回体を備えてなるものとしておくこともある。
【００１０】
このようにした場合、第一回転体が正転を開始することを契機として旋回体を介してロック体を非ロック位置まで回動させることができる。
【００１１】
前記第二回転体とリッド主体との第二連係手段を、
第二回転体の連れ回りにより回動されるメインギア体と、このメインギア体に噛み合うリッド主体に形成されたメインラックとを備えて構成させておくこともある。
【００１２】
このようにした場合、第一回転体の正転によりロック体が非ロック位置に回動された後の第二回転体の連れ回りにより正転によって、リッド主体を開き位置まで回動させることができる。
【００１３】
前記メインギア体を、第二回転体側に接続される第一ギア要素と、メインラックに噛み合う第二ギア要素とを、これらの軸線方向において両者を所定の力で押し付けこの所定の力を越える力が第二ギア要素側に作用されない限り両者が連れ回りするように組み付け合わせて構成させておくこともある。
【００１４】
このようにした場合、ロック体によるリッド主体の保持を解きながら前記所定の力を越える力でリッド主体を開き位置に向けて引き、また、閉じ位置に向けて押し込むことで、モータを駆動させなくてもリッド主体を回動させることができる。すなわち、このようにリッド主体を引き、または、押し込んだときには、メインギア体の第二ギア要素と第一ギア要素をいわばクラッチＯＦＦの状態にして、リッド主体を手動で比較的容易に回動させることが可能となる。
【００１５】
前記リッド主体は、インナーケースを出没可能に内蔵しており、インナーケースの側部にはストッパー突部が備えられ、リッド主体の側部にはこのストッパー突部を外方に突き出させる前記出没方向に沿って続く通し部が形成されており、
動作手段はさらに、
リッド主体が開き位置に至ったときにストッパー突部の突き出し箇所を捕捉する捕捉部を備えたスライダと、
このスライダと第一回転体との第三連係手段とを備えており、
リッド主体が開き位置に至った後の第一回転体の正転により第三連係手段を介してスライダが押し上げられインナーケースが突出されるようになっており、
しかも、リッド主体が開き位置に至った後は第二連係手段によるリッド主体のそれ以上の回動を抑止するようにしておくこともある。
【００１６】
このようにした場合、リッド本体が開き位置に至った状態からモータによる第一回転体の正転を継続させることにより、連れ回りする第二回転体の回転力をリッド主体に伝達しないようにしながら、開き位置にあるこのリッド主体からインナーケースを突出させることができる。
【００１７】
前記スライダと第一回転体との第三連係手段を、
このスライダと第一回転体との間にあって本体側に回動可能に組み付けられると共に、
この回動方向においてスライダに形成されたサブラック側に直接又は間接的に駆動力を伝達するギア部と、摺動子とを位置を異にして備えた伝達体と、
第一回転体にこの第一回転体の回転中心を中心とした仮想の円弧に沿った円弧状部を持つように形成された前記摺動子の案内部とを備えてなるものとすると共に、
リッド主体が開き位置に至ったときにこの案内部の一端側に摺動子が接するようにしておくこともある。
【００１８】
伝達体の摺動子は、リッド主体が開き位置に至るまでは第一回転体の案内部の一端側に接することはなく、したがって、インナーケースは突出されない。リッド主体が開き位置に至ると、第一回転体の案内部の一端側に伝達体の摺動子が接し第一回転体の正転により押圧されて伝達体が回動され、スライダを押し上げさせることができ、これによりインナーケースを自動的に突出させることができる。
【００１９】
前記リッド主体が開き位置にあってインナーケースを突出させない動作後停止態様、およびリッド主体が半開き位置にあってインナーケースを突出させない動作後停止態様の双方又はいずれか一方を作出可能に動作手段を、つまりはモータを制御するようにしておくこともある。
【００２０】
このようにした場合、インナーケースを突出させない方がインナーケース内の物品を取り出しやすいときや、リッド主体を全開にしない方が都合の良いときに、これらのニーズにあった状態を自動的に作り出すことができる。
【００２１】
左右一対の動作手段の間にリッド主体を納め各動作手段と連係させるようにすると共に、この一対の動作手段間に設置されたモータによって駆動される主軸をこの一対の動作手段間に亘って備えさせるようにしておけば、単一のモータによりリッド主体及びロック手段をリッド主体の左右において偏頗なくそれぞれ所期の動作をなすように自動的に動かすことができる。
【発明の効果】
【００２２】
この発明によれば、単一のモータの駆動力によって合理的かつスムースに、閉じ位置にあるリッド主体と本体とのロックを解除すると共にこの後リッド主体を開き位置まで往動回動させ、また、開き位置にあるリッド主体を閉じ位置まで復動回動させると共にこの後リッド主体と本体とをロックさせることができる。すなわち、前記往動回動にあっては、前記ロックが解除されるまではリッド主体の回動が開始されないようにでき、また、前記復動回動にあっては、リッド主体の回動が停止した後に再ロックのための動作がモータによってなされるようにすることができる。
【発明を実施するための最良の形態】
【００２３】
以下、図１〜図１８に基づいて、この発明を実施するための最良の形態について説明する。
【００２４】
なお、ここで図１は、この発明にかかるリッド機構を適用して構成されたグローブボックス１’をモータ８などを覆う上部カバーを取り外した状態で上方から見た状態で示している。
【００２５】
また、図２および図３は、かかるリッド機構を構成する動作手段４の主要部品を分離させた状態でそれぞれ示している。
【００２６】
図４〜図７は、リッド主体２が閉じ位置にあって、かつ、ロック体３がロック位置にある状態をそれぞれ示している。特に、図４は前記グローブボックス１’を左側から見て、図５は図４に示される形態から側部構成体１１を構成する外側カバー１１１を取り外した状態として、図６は図４に示される形態から側部構成体１１のみを取り出し且つリッド主体２のピン状掛合部２７を想像線で表して、図７は図６に示された側部構成体１１を内側カバー１１３を取り外してその内側から見た状態として、それぞれ示している。
【００２７】
図８〜図１０は、リッド主体２が閉じ位置にあって、かつ、ロック体３が非ロック位置にある状態をそれぞれ示している。特に、図８は前記側部構成体１１のみを表して、図９は図８に示された側部構成体１１を内側カバー１１３を取り外してその内側から見た状態として、図１０は図９に示された形態にリッド主体２に備えられるメインラック４４２をさらに想像線で表してそれぞれ示している。
【００２８】
図１１〜図１４は、リッド主体２が開き位置にある状態をそれぞれ示している。特に、図１１は前記グローブボックス１’を左側から見て、図１２は図１１に示される形態から側部構成体１１のみを取り出し且つその内側カバー１１３を取り外してその内側から見た状態として、図１３は図１１の状態における動作手段４の主要部品のみを外側から見た状態として、図１４は図１１に示される形態から側部構成体１１のみを取り出しそれを内側から見た状態としてそれぞれ示している。なお、図１１においてはピン状掛合部２７およびメインラック４４２の記載を省略している。
【００２９】
図１５〜図１８は、開き位置にあるリッド主体２からインナーケース２８が突出されきった状態をそれぞれ示している。特に、図１５は前記グローブボックス１’を左側から見て、図１７はこのときのリッド主体２の要部とスライダ４５とを一緒に表して、図１８はこのときの側部構成体１１を内側から見た状態としてそれぞれ示している。なお、図１５においてはピン状掛合部２７およびメインラック４４２の記載を省略している。
【００３０】
この実施の形態にかかる電動リッド機構は、モータ８を駆動させることにより、閉じ位置と開き位置との間に亘って自動的にリッド主体２の開閉動作をなさしめるものである。
【００３１】
かかる機構は、リッド主体２と、ロック体３と、これらの動作手段４とを備えてなる。
【００３２】
リッド主体２は、本体１に対しこの本体１の開口１０を塞いだ閉じ位置と開き位置との間に亘る回動可能に組み付けられている。
【００３３】
かかる本体１としては、リッド主体２により開閉可能に塞がれる開口１０を備えたもの、典型的には、各種の収納体や機器本体などを予定するものである。リッド主体２は、この本体１の開口１０を塞ぐ大きさを備えてこの本体１に回動可能に組み付けられるもの、典型的には、蓋板状のものや、蓋板部とこの蓋板部の内面側に収納部を備えたものなどを予定するものである。
【００３４】
図示の例では、リッド主体２は、自動車のインストルメントパネルＰ内に組み込まれてそのグローブボックス１’を構成する本体１の前面開口１０を、起立状態において閉塞するものとして構成されている。
【００３５】
かかるリッド主体２は、前板部２０と、後板部２１と、側板部２２と、底板部２３とを有し、これらによって上面を開放させた収納部２４を持つと共に、この収納部２４内に納められたインナーケース２８とを備えている。かかるリッドは、前記起立状態において本体１の開口１０を前板部２０によって塞ぐようになっている。（図４／閉じ位置）リッド主体２はその下部においてその左右方向に軸線を配した回動軸２９によって本体１に回動可能に組み合わされている。リッド主体２はこの回動軸２９を中心として収納部２４の開放部２５を本体１内から露出させる開き位置まで回動されるようになっている。（図１１／開き位置）
【００３６】
インナーケース２８は、上面を開放させた箱状をなすように構成されており、収納部２４内に出没可能に内蔵されている。インナーケース２８の両側部にはそれぞれ、この側部から外方に突き出すストッパー突部２８１が備えられていると共に、リッド主体２の側板部２２にはこのストッパー突部２８１を外方に突き出させる前記出没方向に沿って続く通し部２６が形成されている。この通し部２６の下端にストッパー突部２８１を位置させた状態においてインナーケース２８は前記開放部２５から突き出さないように前記収納部２４内に納まっている。
【００３７】
ロック体３は、かかるリッド主体２が閉じ位置にあるときにこのリッド主体２の一部に掛合するロック位置と非ロック位置との間に亘る回動可能に本体１に組み付けられている。
【００３８】
図示の例では、リッド主体２の両側板部２２、２２の上部に、外方に突き出すピン状掛合部２７が備えられており、ロック体３はロック位置においてこのピン状掛合部２７に掛合されるようになっている。図示の例では、ロック体３は、前記動作手段４を組み込んだ本体１の側部構成体１１内に組み込まれている。側部構成体１１は本体１の開口１０を挟んだ左右にあり、左側の側部構成体１１のロック体３がリッド主体２の閉じ位置において左側の側板部２２に備えられたピン状掛合部２７に引っかかり、右側の側部構成体１１のロック体３がリッド主体２の閉じ位置において右側の側板部２２に備えられたピン状掛合部２７に引っかかるようになっている。
【００３９】
図示の例では、ロック体３は、リッド主体２の回動軸２９と平行をなす回動軸３１によって中間部を側部構成体１１に回動可能に組み付けられている。ロック体３は、側部構成体１１の前側（本体１の開口１０側）であってその上側に組み付けられている。ロック体３の回動軸３１を挟んだ前端側には下方に向けて突き出す掛合端３０となる爪部３０１が形成されている。リッド主体２が閉じ位置にあるとき、ロック体３の爪部３０１がピン状掛合部２７の前方に爪部３０１を位置させるように上方から引っかかるようになっている。（図６／ロック位置）後述する第一連係手段４３により、ロック体３の回動軸３１を挟んだ後端が下方に押し込まれると爪部３０１を上側に移動させるようにロック体３は回動され、これによりロック体３は非ロック位置に位置づけられる。（図８）
【００４０】
リッド主体２及びロック体３の動作手段４は、図示の例では、前記側部構成体１１にそれぞれ備えられている。これにより、図示の例では、左右一対の動作手段４、４の間にリッド主体２が納められ各動作手段４、４と連係されている。そして、本体１には、この一対の動作手段４、４間に設置されたモータ８によって駆動される主軸８０がこの一対の動作手段４、４間に亘って備えられている。
【００４１】
図示の例では、本体１の上部１２１であってその左右方向略中程の位置に据え付けられたモータ８によって回転駆動される主軸８０が本体１の左右方向に軸線を沿わせるように本体１の上部１２１に配されており、左側の動作手段４を構成する後述する第一回転体４０と右側の動作手段４を構成する後述する第一回転体４０とがそれぞれ、この主軸８０から駆動力の伝達を受けて単一のモータ８によって正転又は逆転されるようになっている。図中、符号８１はモータ８の駆動軸に備えられたワームであり、主軸８０のギア８２とこのワーム８１との間に配された中間ギア８３を介して、主軸８０が駆動されるようになっている。（図１）
【００４２】
これにより、図示の例では、単一のモータ８によりリッド主体２及びロック手段をリッド主体２の左右において偏頗なくそれぞれ所期の動作をなすように自動的に動かすことができるようになっている。
【００４３】
かかる動作手段４は、
同一軸を中心に回転可能に本体１側に支持された第一回転体４０及びこの第一回転体４０の側方に位置される第二回転体４１と、
第一回転体４０と第二回転体４１との連動手段４２と、
第一回転体４０とロック体３との第一連係手段４３と、
第二回転体４１とリッド主体２との第二連係手段４４と、
リッド主体２が開き位置に至ったときに前記ストッパー突部２８１の突き出し箇所を捕捉する捕捉部４５２を備えたスライダ４５と、
後述するスライダ４５と第一回転体４０との第三連係手段４６とを備えている。
【００４４】
そして、（１）リッド主体２が閉じ位置にあるときにモータ８により第一回転体４０が所定角度正転されると第一連係手段４３によってロック体３が非ロック位置に回動されるようになっている。
（２）また、第一回転体４０がこの所定角度を越えて正転されると第二連係手段４４によりリッド主体２が開き位置に向けた回動を開始するようになっている。
（３）また、連動手段４２による第二回転体４１の連れ回りが第一回転体４０の正転が前記所定角度に達するまでは抑止されるようになっている。
（４）また、リッド主体２が開き位置に至った後の第一回転体４０の正転により第三連係手段４６を介してスライダ４５が押し上げられインナーケース２８が突出されるようになっている。
（５）また、リッド主体２が開き位置に至った後は第二連係手段４４によるリッド主体２のそれ以上の回動が抑止されるようになっている。
【００４５】
これにより、この実施の形態にかかる電動リッド機構によれば、リッド主体２が閉じ位置にある状態をロック位置にあるロック体３によって安定的に維持させることができる。この状態からモータ８を駆動させると第一回転体４０が正転を始め第一連係手段４３によってロック体３は非ロック位置に回動されるが、ロック体３が非ロック位置に至るまでは第一回転体４０が正転されても第二回転体４１は正転されず第二連係手段４４によるリッド主体２の開き位置に向けた回動は開始されない。ロック体３が非ロック位置まで回動されると第二回転体４１は第一回転体４０に連れ回りして正転され、第二連係手段４４によってリッド主体２は開き位置まで往動回動される。これにより本体１の開口１０が自動的に開かれる。
【００４６】
また、リッド本体１が開き位置に至った状態からモータ８による第一回転体４０の正転を継続させることにより、連れ回りする第二回転体４１の回転力をリッド主体２に伝達しないようにしながら、開き位置にあるこのリッド主体２からインナーケース２８を突出させることができる。
【００４７】
図示の例のように、かかる電動リッド機構をグローブボックス１’に適用した場合、インナーケース２８の容量を最大限に確保しながら、運転席側から突出されたインナーケース２８内の物品を取り出しやすい、というメリットがもたらされる。
【００４８】
スライダ４５が上昇し切った状態をリミットスイッチなどで検知してモータ８の駆動を停止させることで、ロック体３を非ロック位置へ回動→リッド主体２を開き位置へ回動→インナーケース２８の突出という往動動作が完了される。この状態から第一回転体４０を逆転させるようにモータ８を再駆動させることで、インナーケース２８引き込み→リッド主体２を閉じ位置へ回動→ロック体３をロック位置へ回動という復動動作がなされる。ロック体３のロック位置への回動を契機として再びモータ８の駆動を停止させることでこの復動動作は完了される。
【００４９】
モータ８の前記駆動は、モータ８の電源回路を構成するスイッチを閉成することにより開始される。
【００５０】
前記リッド主体２が開き位置にあってインナーケース２８を突出させない動作後停止態様、およびリッド主体２が半開き位置にあってインナーケース２８を突出させない動作後停止態様の双方又はいずれか一方を作出可能に動作手段４を、つまりはモータ８を制御するようにしておくこともある。
【００５１】
このようにした場合、インナーケース２８を突出させない方がインナーケース２８内の物品を取り出しやすいときや、リッド主体２を全開にしない方が都合の良いときに、これらのニーズにあった状態を自動的に作り出すことができる。
【００５２】
図示の例のように、かかる電動リッド機構をグローブボックス１’に適用した場合、助手席側からインナーケース２８内の物品を取り出しやすくしたり、助手席の着座者の膝に開いたリッド主体２が当たらないようにする、といったメリットがもたらされる。また、このように電動リッド機構をグローブボックス１’に適用した場合には、着座センサにより助手席への着座が検知されたことを契機として、前記モータ８の電源回路を構成するスイッチを閉成してもリッド主体２は半開き位置までしか開かないようにすることもできる。
【００５３】
動作手段４は、前述のように、本体１の側部構成体１１に組み込まれている。側部構成体１１は、外側カバー１１１とこれに組み合わされる内側カバー１１３とを有している。本体１は、上部１２１と背部１２２と底部１２３とを備えた本体主体の左右両側にこの側部構成体１１の内側カバー１１３の側を内側にして組み付けることにより構成されている。
【００５４】
動作手段４を構成する、第一回転体４０および第二回転体４１、さらに、後述する各連係手段４３、４４、４６を構成する回転可能なパーツはそれぞれ、リッド主体２の回動軸２９に平行をなす回動軸によってかかる側部構成体１１に支持されている。
【００５５】
図示の例では、第一回転体４０と第二回転体４１は共に円板状をなすように構成されている。これらは、外側カバー１１１に設けられたボス部１１２を両回転体４０、４１の中心に形成させた軸穴４０１、４１１に通した状態でこの外側カバー１１１と内側カバー１１３とを組み合わせることで、側部構成体１１の上部側に備えられている。第一回転体４０の内側に第二回転体４１が位置されている。
【００５６】
外側カバー１１１と第一回転体４０との間には、第三連係手段４６を構成する後述する伝達体４６１のアーム部４６１ｄが挟まれるように配置されている。
【００５７】
また、第二回転体４１の内側には、第二連係手段４４を構成する後述するメインギア体４４１が位置されるようになっている。
【００５８】
第一回転体４０と第二回転体４１との連動手段４２は、
本体１側に備えられた案内部４２１、第一回転体４０に備えられた長穴状をなす通し部４２２、第二回転体４１に備えられた長穴状をなす通し部４２３、及びこれらに通された軸状体４２４を備えている。
【００５９】
案内部４２１は、第一回転体４０の回転中心を中心とした仮想の円の円弧に沿って続く弧状部分４２１ａと、この弧状部分４２１ａの一端側に連続して前記回転中心から離れる側に向かう抑止部分４２１ｂとを備えている。
【００６０】
図示の例では、この案内部４２１は、外側カバー１１１と内側カバー１１３とにそれぞれ形成されている。案内部４２１はこれらのカバー１１１、１１３に貫通状態に形成された溝状をなしている。案内部４２１は、第一回転体４０の回転中心を巡る約１８０度の範囲で形成されていると共に、この回転中心よりも本体１の背部１２２側に形成されている。抑止部分４２１ｂはこの案内部４２１における弧状部分４２１ａの下端に連通している。
【００６１】
そして、リッド主体２が閉じ位置にある状態から第一回転体４０の正転（この向きを各図において矢印で示す。）が前記所定角度に達するまでは、
軸状体４２４は前記案内部４２１の抑止部分４２１ｂにあり、
第一回転体４０の通し部４２２はその正転後方側に向かうに連れてその回転中心に近づく向きに傾斜してこの抑止部分４２１ｂに交叉するようになっており、
かつ、第二回転体４１の通し部４２３は前記抑止部分４２１ｂに沿うようになっている。
【００６２】
図示の例では、第一回転体４０および第二回転体４１の通し部４２３は、これらに貫通状態に設けられており、また、いずれも軸状体４２４の直径と略等しい幅とこれより大きい長さを備えた溝状をなすように構成されている。
【００６３】
ロック体３がロック位置にあり、かつ、リッド主体２が閉じ位置にある状態から、第一回転体４０の正転が開始されると、軸状体４２４は第一回転体４０の回転方向に移動しようとするが、前記案内部４２１の抑止部分４２１ｂによってこの回転方向に向けた移動は抑止され、軸状体４２４は第一回転体４０の通し部４２２の傾斜によって第一回転体４０の回転中心側に移動される。このように移動された軸状体４２４が案内部４２１の抑止部分４２１ｂから抜け出し弧状部分４２１ａの一端に入り込むと第一回転体４０と軸状体４２４は一緒に移動できるようになり、軸状体４２４は弧状部分４２１ａの範囲内で第一回転体４０の回転中心を中心として回動され、これにより第二回転体４１も連れ回りされる。この結果、第一連係手段４３によってロック体３が非ロック位置に回動されるまでの間はリッド主体２が第二回転体４１と第二連係手段４４とによって開き位置に向けて回動を開始しないようにすることができる。すなわち、第一回転体４０が前記所定角度正転されることによって軸状体４２４が案内部４２１の抑止部分４２１ｂから抜け出すようになっている。
【００６４】
図示の例では、ロック体３がロック位置にあり、かつ、リッドが閉じ位置にあるとき、軸状体４２４は第一回転体４０の通し部４２２の下端側に位置され、かつ、第二回転体４１の通し部４２３の下端側および案内部４２１の抑止部の下端側に位置されるようになっている。（図６）開き位置にあったリッド主体２を閉じ位置まで復動回動させて行くとその最終段階において逆転される第一回転体４０の通し部４２２の傾斜により軸状体４２４は再び案内部４２１の抑止部分４２１ｂに入り込む。
【００６５】
第一回転体４０とロック体３との第一連係手段４３は、
第一回転体４０とロック体３との間において本体１側に回動可能に組み付けられると共に、
ロック体３に対してはこのロック体３の回動の中心を挟んだ掛合端３０と反対の側に常時接し、
かつ、リッド主体２が閉じ位置にある状態から第一回転体４０の回転が前記所定角度に達するまでにこの第一回転体４０の外縁部に自由端４３１ａを押圧されてこの自由端４３１ａをロック体３の側に近づける向きに回動される旋回体４３１を備えている。
【００６６】
図示の例では、かかる旋回体４３１は、ロック体３の回動軸３１よりも上方で、かつ、これよりも後方で、第一回転体４０の回転中心よりも前方となる位置において、側部構成体１１に回動可能に支持されている。
【００６７】
この旋回体４３１は、回動組み付け部４３１ｃを扇の要となる位置に配するようにした扇状プレートとして構成されている。この旋回体４３１の前方に向けられた箇所に形成された前方を向いた当接面４３１ｄにロック体３の後端に形成された小突起３２が後述するバネ３３の付勢により常時突き当てられるようになっている。旋回体４３１の自由端４３１ａには下方に突き出す突片４３１ｂが形成されていると共に、正転開始前の第一回転体４０の上側にはこの正転方向に延びる弧状ひれ部４０２が形成されており、この弧状ひれ部４０２の範囲において第一回転体４０の外径は大きくなっている。旋回体４３１は第一回転体４０が正転開始前の状態においては、ロック体３の回動軸３１にバネ巻回部を通すようにしてバネ一端をこのロック体３に止着させかつバネ他端を本体１側に止着させたねじりコイルバネ３３によってロック位置に位置づけられたロック体３によって、弧状ひれ部４０２の前端４０２ａに前方から突片４３１ｂを押し付けるように位置づけられている。（図７）第一回転体４０が正転を開始すると旋回体４３１の突片４３１ｂは弧状ひれ部４０２の前端４０２ａに押されてこの弧状ひれ部４０２に乗り上がり旋回体４３１の自由端４３１ａはロック体３の側に近づく向きに移動され、これによりロック体３は前記バネ３３の付勢に抗して小突起３２の形成側を下方に押し上げられ非ロック位置まで回動される。（図９）図示の例では、弧状ひれ部４０２の形成箇所での第一回転体４０の半径は第二回転体４１の半径に等しく、弧状ひれ部４０２の前端４０２ａは第二回転体４１の外縁部に形成されている切り欠き４１２内に位置されて第一回転体４０の正転開始直後にこの切り欠き４１２内に入り込んでいた前記突片４３１ｂに前記のように押し付けられる。突片４３１ｂは第一回転体４０の正転により弧状ひれ部４０２の後端４０２ｂから外れても第二回転体４１の外縁部に支持されて姿勢は変わらず、ロック体３は再びリッド主体２が閉じ位置に復動回動されるまでは非ロック位置に位置づけられ続ける。開き位置にあったリッド主体２を閉じ位置まで復動回動させて行くとその最終段階において逆転される第一回転体４０の弧状ひれ部４０２から前記バネ３３の付勢により再び旋回体４３１の突片４３１ｂは外れ降り旋回体４３１の自由端４３１ａ側は後方に移動されロック体３はロック位置に再び回動位置づけられる。
【００６８】
図示の例では、側部構成体１１の後方上部に配される主軸８０の端部に備えられた伝達ギア８４と、第一回転体４０の外周部であって前記弧状ひれ部４０２の形成箇所よりも内方に位置される箇所に形成されたギア部４０３の双方に噛み合う中間ギア８５を介して、第一回転体４０は前記モータ８の駆動により正転又は逆転されるようになっている。
【００６９】
第二回転体４１とリッド主体２との第二連係手段４４は、
第二回転体４１の連れ回りにより回動されるメインギア体４４１と、このメインギア体４４１に噛み合うリッド主体２に形成されたメインラック４４２とを備えて構成されている。
【００７０】
図示の例では、メインギア体４４１は、第二回転体４１の回転中心よりも下方で側部構成体１１の前側において、この側部構成体１１に回動可能に支持されている。
【００７１】
また、かかるメインギア体４４１は、第二回転体４１側に接続される第一ギア要素４４１ａと、メインラック４４２に噛み合う第二ギア要素４４１ｂとを、これらの軸線方向において両者を所定の力で押し付けこの所定の力を越える力が第二ギア要素４４１ｂ側に作用されない限り両者が連れ回りするように組み付け合わせることで構成されている。
【００７２】
具体的には、図示の例では、第二ギア要素４４１ｂは扇形歯車状をなすように構成されている。一方、第一ギア要素４４１ａは第二ギア要素４４１ｂより小径の歯車として構成されている。メインラック４４２はリッド主体２の回動軸を２９中心とした仮想の円の円弧に沿うようにしてリッド主体２の側板部２２の上部外面に形成されており、リッド主体２が閉じ位置にあるとき第二ギア要素４４１ｂは歯部の形成側を後方に向けてメインラック４４２の前端側に噛み合っている。（図１０）
【００７３】
図示の例では、前記旋回体４３１と同一の位置において側部構成体１１に回動可能に組み付けられた扇状歯車５がこの旋回体４３１の内側であって、かつ、第二回転体４１の内側に位置されるように備えられており、メインギア体４４１を構成する第一ギア要素４４１ａにこの扇状歯車５の歯部が常時噛み合わされるようになっている。それと共に、第二回転体４１の内面側（第一回転体４０に向き合わない側）には、リッド主体２が閉じ位置にある状態において第二回転体４１の上部側に溝前端を位置させてこの第二回転体４１の回転方向に沿って長く延びる弧状溝４１３ａとこの弧状溝４１３ａの溝前端に連通してこの第二回転体４１の回転中心側に延びる分岐溝４１３ｂとからなる案内部４１３が形成されている。一方、扇状歯車５の後方側であってその歯部側にはこの案内部４１３に入り込む摺動子５１が形成されている。そして、リッド主体２が閉じ位置にある状態において、この摺動子５１が案内部４１３の分岐溝４１３ｂに入り込むようにしてある。（図１０）
【００７４】
第一回転体４０の正転によりロック体３が非ロック位置に回動されると第二回転体４１が連れ回りにより正転を開始する。第二回転体４１が正転を開始すると扇状歯車５の摺動子５１を案内部４１３の分岐溝４１３ｂに引っ掛けるようにして扇状歯車５はその自由端側を前方に押し出すように移動され、この移動により第一ギア要素４４１ａをこの扇状歯車５に噛み合わせているメインギア体４４１は第二ギア要素４４１ｂの歯部の全体を前方に向ける位置まで回動され、この回動によってメインラック４４２をメインギア体４４１の第二ギア要素４４１ｂに噛み合わせているリッド主体２は開き位置まで回動される。（図１２）
【００７５】
この後、さらに第一回転体４０の正転により第二回転体４１が正転されると、扇状歯車５の摺動子５１は案内部４１３の分岐溝４１３ｂから抜け出し、弧状溝４１３ａに入り込み、この抜け出し後は扇状歯車５は回転せず、これにより、リッド主体２が開き位置に至った後の第二連係手段４４によるリッド主体２のそれ以上の回動が抑止されるようになっている。リッド主体２が開き位置にあり、かつ、インナーケース２８が突出された状態から第二回転体４１が逆転されると、案内部４１３の分岐溝４１３ｂに再び扇状歯車５の摺動子５１が入り込むように扇状歯車５と第二回転体４１の位置がセットされており、扇状歯車５は自由端を後方に移動させるように回動され、これに伴って復動されるメインギア体４４１によってリッド主体２は閉じ位置まで復動回動される。
【００７６】
この例において、リッド主体２に備えられた図示しない可動引き手を引き操作すると前記ピン状掛合部２７がリッド主体２の側板部２２から突き出さないように引っ込むように、この可動引き手とピン状掛合部２７とを連係させておけば、このようにロック体３によるリッド主体２の保持を解きながら前記所定の力を越える力でリッド主体２を開き位置に向けて引き、また、閉じ位置に向けて押し込むことで、モータ８を駆動させなくてもリッド主体２を回動させることができる。すなわち、このようにリッド主体２を引き、または、押し込んだときには、メインギア体４４１の第二ギア要素４４１ｂと第一ギア要素４４１ａをいわばクラッチＯＦＦの状態にして、回動軸を中心にリッド主体２を手動で比較的容易に回動させることが可能となる。
【００７７】
このようなリッド主体２の手動操作は、例えば、前記伝達ギア８４と第一回転体４０との間に介在される中間ギア８５を伝達ギア８４に噛み合うギア要素と第一回転体４０に噛み合うギア要素とに分割して、これらをその軸線方向に所定の力で押し付け合わせるようにして組み合わせることによっても、確保させることができる。
【００７８】
前記スライダ４５と第一回転体４０との第三連係手段４６は、伝達体４６１と、第一回転体４０に形成された案内部４６２とから構成されている。
【００７９】
伝達体４６１は、スライダ４５と第一回転体４０との間にあって本体１側、つまり、側部構成体１１に回動可能に組み付けられると共に、
この回動方向においてスライダ４５に形成されたサブラック４５１側に直接又は間接的に駆動力を伝達するギア部４６１ａと、摺動子４６１ｂとを位置を異にして備えている。
【００８０】
図示の例では、伝達体４６１は、扇状歯車部４６１ｃとアーム部４６１ｄとを有し、この扇状歯車部４６１ｃの扇の要となる箇所とアーム部４６１ｄの根本と一体に連接させ、かつ、この連接箇所において側部構成体１１に回動可能に組み付けられている。アーム部４６１ｄは第一回転体４０の外面側（第二回転体４１に向き合わない側）に位置されている。アーム部４６１ｄと扇状歯車部４６１ｃとは略L字状をなすように接合されている。また、スライダ４５が上昇されていない、つまり、インナーケース２８の突出動作がなされていない状態ではアーム状部は上方に向けられている。（図５）
【００８１】
図示の例では、スライダ４５は、細長いブロック状をなすと共に、側部構成体１１の最下部において前方に斜上するように備えられこの斜めの向きにスライド移動するようになっている。このスライダ４５における外側に向けられた側に上方を向いたサブラック４５１が形成されている。また、このスライダ４５における内側であってその上端側に後方において開放されて斜め前方に続く溝状の捕捉部４５２が形成されている。そして、図示の例では、伝達体４６１の扇状歯車部４６１ｃのギア部４６１ａとサブラック４５１に対するピニオン６とが中間ギア７を介して連係されている。このように構成されたスライダ４５の捕捉部４５２にリッド主体２の側板部２２の通し部２６の下端に位置されたストッパー突部２８１がリッド主体２が開き位置に回動されることにより後方から入り込むようになっている。
【００８２】
一方、前記第一回転体４０の案内部４６２は、この第一回転体４０の回転中心を中心とした仮想の円弧に沿った円弧状部４６２ａを持つように形成されている。図示の例では、この案内部４６２は、第一回転体４０の外面側に形成されていると共に、前記伝達体４６１の摺動子４６１ｂを常時納め入れ案内する溝状をなすように構成されている。そして、リッド主体２が開き位置に至る位置まで第一回転体４０が正転されるとこの案内部４６２の一端側４６２ｂに摺動子４６１ｂが接するようになっている。なお、この案内部４６２の一端には第一回転体４０の回転中心に向けて延びる分岐部４６２ｃが形成されており、この摺動子４６１ｂに案内部４６２の一端側４６２ｂによる押圧を作用させながら伝達体４６１の回転中心を中心とした摺動子４６１ｂの移動を妨げないようにしてある。
伝達体４６１の摺動子４６１ｂは、リッド主体２が開き位置に至るまでは第一回転体４０の案内部４６２の一端側４６２ｂに接することはなく、したがって、インナーケース２８は突出されない。リッド主体２が開き位置に至ると、第一回転体４０の案内部４６２の一端側４６２ｂに伝達体４６１の摺動子４６１ｂが接し第一回転体４０の正転により押圧されて伝達体４６１がアーム状部が横向きに位置される位置まで略９０度回動され、スライダ４５を押し上げさせる。（図１８）これによりインナーケース２８を自動的に突出させることができる。
【００８３】
伝達体４６１の摺動子４６１ｂは、スライダ４５が押し上げられている限り、第一回転体４０の分岐部４６２ｃ内に位置されるように伝達体４６１と第一回転体４０の位置がセットされており、このインナーケース２８を突出させた状態において第一回転体４０が逆転されると伝達体４６１もこれに伴って復動され、スライダ４５は押し上げ前の位置に下降しインナーケース２８も突出前の位置に復帰される。この状態から第一回転体４０の逆転がさらになされるとスライダ４５の捕捉部４５２から後方に向けてリッド主体２のストッパー突部２８１が抜け出しリッド主体２とスライダ４５とは分離される。
【００８４】
なお、図示の例とは別に、動作手段４を納めた側部構成体１１を本体１の左右いずれか一方にのみ備えさせるようにしておくこともある。このようにした場合、側部構成体１１の備えられていない本体１の側部にはリッド主体２の回動軸２９のみを備えさせておけば良く、ロック体３もこの側部側には設けなくて良い。また、この場合にはモータ８の駆動軸を主軸８０に直結させて構わない。
【図面の簡単な説明】
【００８５】
【図１】グローブボックス１’の平面構成図
【図２】動作手段４の要部部品の斜視構成図
【図３】動作手段４の要部部品の斜視構成図（図２と反対の向きから見た図）
【図４】グローブボックス１’の左側面構成図
【図５】グローブボックス１’の左側面構成図（外側カバー１１１省略）
【図６】側部構成体１１の左側面構成図
【図７】側部構成体１１の右側面構成図（内側カバー１１３省略）
【図８】側部構成体１１の左側面構成図
【図９】側部構成体１１の右側面構成図（内側カバー１１３省略）
【図１０】側部構成体１１の右側面構成図（内側カバー１１３省略）
【図１１】グローブボックス１’の左側面構成図
【図１２】側部構成体１１の右側面構成図（内側カバー１１３省略）
【図１３】動作手段４の要部部品の左側面構成図
【図１４】側部構成体１１の右側面構成図
【図１５】グローブボックス１’の左側面構成図
【図１６】同要部斜視構成図
【図１７】リッド主体２の要部斜視構成図
【図１８】側部構成体１１の右側面構成図
【符号の説明】
【００８６】
１  本体
１０  開口
２  リッド主体
３  ロック体
４  動作手段
４０  第一回転体
４１  第二回転体
４２  連動手段
４３  第一連係手段
４４  第二連係手段
【図１】
2008030585.tif 000003
【図２】
2008030585.tif 000004
【図３】
2008030585.tif 000005
【図４】
2008030585.tif 000006
【図５】
2008030585.tif 000007
【図６】
2008030585.tif 000008
【図７】
2008030585.tif 000009
【図８】
2008030585.tif 000010
【図９】
2008030585.tif 000011
【図１０】
2008030585.tif 000012
【図１１】
2008030585.tif 000013
【図１２】
2008030585.tif 000014
【図１３】
2008030585.tif 000015
【図１４】
2008030585.tif 000016
【図１５】
2008030585.tif 000017
【図１６】
2008030585.tif 000018
【図１７】
2008030585.tif 000019
【図１８】
2008030585.tif 000020